(57)【要約】【課題】  メールサーバに膨大な記憶容量を必要とせず、メールの受信毎に大量の電子メールの受信が行われることを回避できるようにすること。【解決手段】  メールアドレス記憶手段２５と、電子メール記憶手段２５と、を備える店舗外に設けられたメールサーバ１０と、会員用電子メール記憶手段１２４を備え、店舗内に設けられた店舗内メール管理装置１２０と、メールアドレス特定情報と、メール情報送信要求送信手段３２８と、メール情報送信手段２２を備え、電子メールの一覧表示手段３１２と、電子メールの選択受付け手段３１８と、電子メールのメール表示手段３１２と、受付け中の会員用記録媒体を返却するときに選択結果情報を送信する選択結果情報送信手段３２８と、を備えるメール受信端末３と、を備え、店舗内メール管理装置１２０は、選択結果情報に基づいて未選択と特定されたことを条件に、未選択の電子メールを削除し、メールサーバ１０は、店舗内メール管理装置１２０への配信を条件として当該配信した電子メールを削除する。【選択図】  図１０
2005157554.tif 000002
【特許請求の範囲】
【請求項１】
店舗外に設けられ、会員の電子メールアドレスを記憶するためのメールアドレス記憶手段と、該メールアドレス記憶手段に記憶されている各会員の電子メールアドレス宛ての電子メールを受信したときに、該受信した電子メールを配信可能に記憶するための電子メール記憶手段を備え、該電子メール記憶手段に記憶している各電子メールを所定のタイミングにて配信するメールサーバと、
店舗内に設けられ、会員の電子メールアドレスを個々に特定可能なメールアドレス特定情報に対応付けて、前記メールサーバから配信される電子メールのうち、当該メールアドレス特定情報から特定される会員の電子メールアドレス宛ての電子メールを配信可能に記憶するための会員用電子メール記憶手段を備える店舗内メール管理装置と、
前記メールアドレス特定情報が記録された会員用記録媒体を受付けて、該会員用記録媒体に記録されているメールアドレス特定情報の読み取りを行う読取手段と、該読取手段によって読み取った前記メールアドレス特定情報と、前記会員用電子メール記憶手段に記憶されている電子メールのうち、当該メールアドレス特定情報から特定される電子メールアドレス宛ての電子メールに関するメール情報の送信を要求する旨とを含むメール情報送信要求を前記店舗内メール管理装置に送信するメール情報送信要求送信手段と、を備えるメール受信端末と、
から成る電子メール受信システムであって、
前記店舗内メール管理装置は、前記メール情報送信要求送信手段から送信されるメール情報送信要求に含まれるメールアドレス特定情報から特定される電子メールアドレス宛ての電子メールに関するメール情報を前記メール受信端末に送信するメール情報送信手段を備え、
前記メール受信端末は、該メール情報送信手段から送信されるメール情報に基づいて前記電子メールの一覧を表示するための一覧表示手段と、該一覧表示手段に表示された一覧から内容表示する電子メールの選択を会員から受付けるための選択受付け手段と、該選択受付け手段にて選択を受付けた電子メールの内容を表示するメール表示手段と、前記一覧表示手段に一覧表示された各電子メールに関して前記選択受付け手段にて選択を受付けたか否かを特定可能な選択結果情報を前記店舗内メール管理装置に送信する選択結果情報送信手段と、を備え、
前記メールサーバは、前記店舗内メール管理装置への配信を条件として当該配信した各会員の電子メールアドレス宛ての電子メールを前記電子メール記憶手段から削除する配信済メール削除手段を備え、
前記店舗内メール管理装置は、前記メール受信端末にて受付け中の会員用記録媒体が返却されたときに、前記選択結果情報送信手段から送信される選択結果情報に基づいて未選択と特定されたことを条件に、当該未選択と特定された電子メールを前記会員用電子メール記憶手段から削除する削除手段を備えることを特徴とする電子メール受信システム。
【請求項２】
前記メール受信端末が、前記店舗としての遊技場内に複数設置される遊技機のそれぞれに対応して設けられた遊技用装置であって、該遊技用装置は、当該遊技用装置を個々に識別可能な装置識別情報と受付けている前記会員用記録媒体のメールアドレス特定情報とを含む受付け状況情報を前記店舗内メール管理装置に送信する受付け状況情報送信手段を備え、
前記店舗内メール管理装置は、該受付け状況情報送信手段から送信される受付け状況情報に含まれる装置識別情報とメールアドレス特定情報とを対応付けて記憶するための受付け状況記憶手段を備えるとともに、該受付け状況記憶手段に記憶されているメールアドレス特定情報から特定される電子メールアドレス宛ての電子メールが前記メールサーバから配信されたときに、当該メールアドレス特定情報に対応付けて前記受付け状況記憶手段に記憶されている装置識別情報の遊技用装置に対して電子メールが新着した旨の新着通知を送信する新着通知手段を備え、
前記遊技用装置は、該新着通知手段から送信される新着通知の受信に基づいて、電子メールが新着した旨を報知する新着メール受信報知手段を備えることを特徴とする請求項１に記載の電子メール受信システム。
【請求項３】
前記メール受信端末は、前記メール情報送信要求送信手段からのメール情報送信要求の送信を、前記会員用記録媒体の受付けに基づいて実施することを特徴とする請求項１または２に記載の電子メール受信システム。
【請求項４】
前記店舗内メール管理装置は、前記メール情報送信手段から送信するメール情報として、前記電子メールの一覧を表示可能であって、且つ各電子メールの内容を含まないメール情報を送信し、
前記メール受信端末は、前記選択受付け手段にて選択を受付けた電子メールを特定可能な情報と、該電子メールの内容の送信を要求する旨とを含む電子メール内容送信要求を前記店舗内メール管理装置に送信する電子メール内容送信要求手段を備え、
前記店舗内メール管理装置は、該電子メール内容送信要求手段から送信される電子メール内容送信要求から特定される電子メールの内容を前記メール受信端末に返信する電子メール内容送信手段を備え、
前記メール表示手段は、該電子メール内容送信手段から返信される電子メールの内容を表示することを特徴とする請求項１〜３のいずれかに記載の電子メール受信システム。
【請求項５】
前記メール受信端末は、前記会員用記録媒体の返却操作が行われたときに、前記選択受付け手段にて選択の受付けがなされなかった電子メールが削除されることを会員に報知するための削除報知手段と、会員から削除の了解を受付けるための了解受付け手段と、を備え、該了解受付け手段にて了解を受付けたことに基づいて会員用記録媒体を返却することを特徴とする請求項１〜４のいずれかに記載の電子メール受信システム。
【請求項６】
前記メール受信端末は、前記一覧表示手段に一覧表示された電子メールのうち、前記店舗内メール管理装置の会員用電子メール記憶手段から削除しない電子メールの指定を会員から受付けるための削除除外電子メール受付け手段と、該削除除外電子メール受付け手段にて指定を受付けた削除しない電子メールを特定可能な情報と当該電子メールの削除除外を要求する旨とを含む削除除外情報を前記店舗内メール管理装置に送信する削除除外情報送信手段と、を備え、
前記店舗内メール管理装置の削除手段は、該削除除外情報送信手段から送信される削除除外情報から特定される電子メールが、前記選択結果情報に基づいて未選択と特定された電子メールであっても当該電子メールの削除を留保することを特徴とする請求項１〜５のいずれかに記載の電子メール受信システム。
【請求項７】
前記メール受信端末は、前記一覧表示手段に一覧表示された電子メールのうち、前記店舗内メール管理装置の会員用電子メール記憶手段から削除する電子メールの指定を会員から受付けるための削除電子メール受付け手段と、該削除電子メール受付け手段にて指定を受付けた削除する電子メールを特定可能な情報と当該電子メールの削除を要求する旨とを含む削除情報を前記店舗内メール管理装置に送信する削除情報送信手段と、を備え、
前記店舗内メール管理装置の削除手段は、該削除情報送信手段から送信される削除情報から特定される電子メールが、前記選択結果情報に基づいて選択と特定された電子メールであっても当該電子メールを削除することを特徴とする請求項１〜６のいずれかに記載の電子メール受信システム。
【請求項８】
店舗内メール管理装置は、前記削除手段が前記選択結果情報に基づいて未選択と特定された電子メールを削除する削除条件を設定変更するための削除条件設定変更手段を備え、
前記削除手段は、該削除条件設定変更手段にて設定された削除条件に基づいて未選択と特定された電子メールの削除を実施することを特徴とする請求項１〜７のいずれかに記載の電子メール受信システム。
【請求項９】
前記メール受信端末は、前記一覧表示手段に一覧表示された各電子メールのうち、他の電子メールドレス宛てに転送する電子メールの指定を会員から受付けるための転送電子メール受付け手段と、該転送電子メール受付け手段にて受付けた転送する電子メールを特定可能な情報と当該電子メールの転送先の電子メールアドレスを特定可能な情報とを含む転送情報を前記店舗内メール管理装置に送信する転送情報送信手段と、を備え、
前記店舗内メール管理装置は、該転送情報送信手段から送信される転送情報から特定される電子メールを、該転送情報から特定される転送先の電子メールアドレスに対して転送するための転送要求を前記メールサーバに対して送信する転送要求送信手段を備えるとともに、前記削除手段は、該転送要求送信手段にて転送要求された電子メールを削除し、
前記メールサーバは、前記転送要求送信手段から送信される転送要求の受信にもとづいて、転送要求された電子メールを転送する転送手段を備えることを特徴とする請求項１〜８のいずれかに記載の電子メール受信システム。
【請求項１０】
前記店舗内メール管理装置は、前記メールアドレス特定情報に対応付けて転送先の電子メールアドレスを記憶するための転送先メールアドレス記憶手段を備え、前記転送先の電子メールアドレスを特定可能な情報がメールアドレス特定情報であって、該メールアドレス特定情報に対応付けて前記転送先メールアドレス記憶手段に記憶されている転送先メールアドレスを含む前記転送要求をメールサーバに送信することを特徴とする請求項９に記載の電子メール受信システム。
【発明の詳細な説明】
【技術分野】
【０００１】
本発明は、遊技場等の店舗において会員登録を実施した会員宛ての電子メールを、店舗において閲覧することのできる電子メール受信システムに関する。
【背景技術】
【０００２】
店舗の一例としての遊技場において会員登録を実施した会員（会員遊技者）宛ての電子メールを、当該店舗である遊技場において閲覧することのできる電子メール受信システムとしては、店舗である遊技場内に複数設置されたそれぞれの遊技機に対応して設けられた台間ユニットにおいて、会員遊技者が自分のメールアドレスやパスワードを入力することで、該入力した自分のメールアドレス宛てのメールをメール受信端末である台間ユニットにて受信し、表示させるものが開示されている（特許文献１参照）。
【０００３】
【特許文献１】特開２００２−２１０２２０号公報（第４〜５頁、第２図）
【発明の開示】
【発明が解決しようとする課題】
【０００４】
これら従来の電子メール受信システムにあっては、メール受信端末である台間ユニットにて電子メールを受信して表示するものであるが、これら台間ユニットにて電子メールを受信して表示した場合には、これら受信した特定の会員（会員遊技者）宛ての電子メールを当該台間ユニットにて保存すると、当該保存したメールが他の遊技者等に閲覧されてしまうことから、これらの電子メールを台間ユニットにて保存できないため、これら台間ユニットにて受信して表示した電子メールをメールサーバから削除すると、これら一度受信して表示した電子メールを会員（会員遊技者）が再度確認することができなくなってしまい、逆に、これら台間ユニットにて受信して表示した電子メールを削除せずに全てを保存しておくとすると、メールサーバに膨大な容量のメールを記憶しておくための記憶容量を持たせる必要が生じるばかりか、当該メールサーバからの電子メールの受信毎に、これら保存されている大量の電子メールの受信が行われてしまい、これら電子メールを受信する際の効率が悪くなってしまうという問題があった。
【０００５】
本発明は、このような問題点に着目してなされたもので、店舗内に設置されたメール受信端末において、会員が必要な電子メールを再度確認できるとともに、メールサーバに膨大な記憶容量を必要とすることなく、且つ、メールの受信毎に大量の電子メールの受信が行われることのない電子メール受信システムを提供することを目的とする。
【課題を解決するための手段】
【０００６】
上記課題を解決するために、本発明の請求項１に記載の電子メール受信システムは、
店舗外に設けられ、会員の電子メールアドレスを記憶するためのメールアドレス記憶手段と、該メールアドレス記憶手段に記憶されている各会員の電子メールアドレス宛ての電子メールを受信したときに、該受信した電子メールを配信可能に記憶するための電子メール記憶手段を備え、該電子メール記憶手段に記憶している各電子メールを所定のタイミングにて配信するメールサーバと、
店舗内に設けられ、会員の電子メールアドレスを個々に特定可能なメールアドレス特定情報に対応付けて、前記メールサーバから配信される電子メールのうち、当該メールアドレス特定情報から特定される会員の電子メールアドレス宛ての電子メールを配信可能に記憶するための会員用電子メール記憶手段を備える店舗内メール管理装置と、
前記メールアドレス特定情報が記録された会員用記録媒体を受付けて、該会員用記録媒体に記録されているメールアドレス特定情報の読み取りを行う読取手段と、該読取手段によって読み取った前記メールアドレス特定情報と、前記会員用電子メール記憶手段に記憶されている電子メールのうち、当該メールアドレス特定情報から特定される電子メールアドレス宛ての電子メールに関するメール情報の送信を要求する旨とを含むメール情報送信要求を前記店舗内メール管理装置に送信するメール情報送信要求送信手段と、を備えるメール受信端末と、
から成る電子メール受信システムであって、
前記店舗内メール管理装置は、前記メール情報送信要求送信手段から送信されるメール情報送信要求に含まれるメールアドレス特定情報から特定される電子メールアドレス宛ての電子メールに関するメール情報を前記メール受信端末に送信するメール情報送信手段を備え、
前記メール受信端末は、該メール情報送信手段から送信されるメール情報に基づいて前記電子メールの一覧を表示するための一覧表示手段と、該一覧表示手段に表示された一覧から内容表示する電子メールの選択を会員から受付けるための選択受付け手段と、該選択受付け手段にて選択を受付けた電子メールの内容を表示するメール表示手段と、前記一覧表示手段に一覧表示された各電子メールに関して前記選択受付け手段にて選択を受付けたか否かを特定可能な選択結果情報を前記店舗内メール管理装置に送信する選択結果情報送信手段と、を備え、
前記メールサーバは、前記店舗内メール管理装置への配信を条件として当該配信した各会員の電子メールアドレス宛ての電子メールを前記電子メール記憶手段から削除する配信済メール削除手段を備え、
前記店舗内メール管理装置は、前記メール受信端末にて受付け中の会員用記録媒体が返却されたときに、前記選択結果情報送信手段から送信される選択結果情報に基づいて未選択と特定されたことを条件に、当該未選択と特定された電子メールを前記会員用電子メール記憶手段から削除する削除手段を備えることを特徴としている。
この特徴によれば、メール受信端末の一覧表示手段に表示される一覧表示において、会員から選択を受付けた電子メール、つまりは会員の興味が高いと思われる電子メールについては、削除手段により削除されないことで再度確認できる一方、メールサーバから店舗内メール管理装置へ配信されたことを条件に、当該配信された電子メールがメールサーバにおいて削除され、選択されなかった電子メールについては、店舗内メール管理装置の会員用電子メール記憶手段から削除手段にて削除されるようになるため、メールサーバや店舗内メール管理装置に膨大な記憶容量を必要とすることなく、且つ、メールの受信毎に大量の電子メールの受信が行われることもない。
【０００７】
本発明の請求項２に記載の電子メール受信システムは、請求項１に記載の電子メール受信システムであって、
前記メール受信端末が、前記店舗としての遊技場内に複数設置される遊技機のそれぞれに対応して設けられた遊技用装置であって、該遊技用装置は、当該遊技用装置を個々に識別可能な装置識別情報と受付けている前記会員用記録媒体のメールアドレス特定情報とを含む受付け状況情報を前記店舗内メール管理装置に送信する受付け状況情報送信手段を備え、
前記店舗内メール管理装置は、該受付け状況情報送信手段から送信される受付け状況情報に含まれる装置識別情報とメールアドレス特定情報とを対応付けて記憶するための受付け状況記憶手段を備えるとともに、該受付け状況記憶手段に記憶されているメールアドレス特定情報から特定される電子メールアドレス宛ての電子メールが前記メールサーバから配信されたときに、当該メールアドレス特定情報に対応付けて前記受付け状況記憶手段に記憶されている装置識別情報の遊技用装置に対して電子メールが新着した旨の新着通知を送信する新着通知手段を備え、
前記遊技用装置は、該新着通知手段から送信される新着通知の受信に基づいて、電子メールが新着した旨を報知する新着メール受信報知手段を備えることを特徴としている。
この特徴によれば、会員（会員遊技者）が会員用記録媒体を挿入して遊技中である場合に、当該会員（会員遊技者）の電子メールアドレス宛ての電子メールがメールサーバから店舗内メール管理装置に配信されたときに、該会員（会員遊技者）の会員用記録媒体を受付け中の遊技用装置に新着通知が送信されて、該新着メールがあることが会員（会員遊技者）に報知されることから、会員（会員遊技者）は自分宛の新着メールの受信をほぼリアルタイムに把握することができる。
【０００８】
本発明の請求項３に記載の電子メール受信システムは、請求項１または２に記載の電子メール受信システムであって、
前記メール受信端末は、前記メール情報送信要求送信手段からのメール情報送信要求の送信を、前記会員用記録媒体の受付けに基づいて実施することを特徴としている。
この特徴によれば、会員用記録媒体の受付けに基づいてメール情報送信要求の送信が自動的に実施されることで、会員（会員遊技者）による受信操作の手間を省くことができるとともに、会員（会員遊技者）が受信操作を忘れた場合であっても、メール情報送信要求が送信されて電子メールの一覧表示が実施されるようになるため、当該会員（会員遊技者）宛ての電子メールが存在することを確実に認識させることができる。
【０００９】
本発明の請求項４に記載の電子メール受信システムは、請求項１〜３のいずれかに記載の電子メール受信システムであって、
前記店舗内メール管理装置は、前記メール情報送信手段から送信するメール情報として、前記電子メールの一覧を表示可能であって、且つ各電子メールの内容を含まないメール情報を送信し、
前記メール受信端末は、前記選択受付け手段にて選択を受付けた電子メールを特定可能な情報と、該電子メールの内容の送信を要求する旨とを含む電子メール内容送信要求を前記店舗内メール管理装置に送信する電子メール内容送信要求手段を備え、
前記店舗内メール管理装置は、該電子メール内容送信要求手段から送信される電子メール内容送信要求から特定される電子メールの内容を前記メール受信端末に返信する電子メール内容送信手段を備え、
前記メール表示手段は、該電子メール内容送信手段から返信される電子メールの内容を表示することを特徴としている。
この特徴によれば、一覧表示手段にて表示された一覧において選択を受付けた電子メールのみが、メール受信端末において実際に受信されるようになるため、不必要な電子メールの受信による通信効率の低下を回避できる。
【００１０】
本発明の請求項５に記載の電子メール受信システムは、請求項１〜４のいずれかに記載の電子メール受信システムであって、
前記メール受信端末は、前記会員用記録媒体の返却操作が行われたときに、前記選択受付け手段にて選択の受付けがなされなかった電子メールが削除されることを会員に報知するための削除報知手段と、会員から削除の了解を受付けるための了解受付け手段と、を備え、該了解受付け手段にて了解を受付けたことに基づいて会員用記録媒体を返却することを特徴としている。
この特徴によれば、会員（会員遊技者）の意に反して、電子メールが削除されてしまうことを防止できる。
【００１１】
本発明の請求項６に記載の電子メール受信システムは、請求項１〜５のいずれかに記載の電子メール受信システムであって、
前記メール受信端末は、前記一覧表示手段に一覧表示された電子メールのうち、前記店舗内メール管理装置の会員用電子メール記憶手段から削除しない電子メールの指定を会員から受付けるための削除除外電子メール受付け手段と、該削除除外電子メール受付け手段にて指定を受付けた削除しない電子メールを特定可能な情報と当該電子メールの削除除外を要求する旨とを含む削除除外情報を前記店舗内メール管理装置に送信する削除除外情報送信手段と、を備え、
前記店舗内メール管理装置の削除手段は、該削除除外情報送信手段から送信される削除除外情報から特定される電子メールが、前記選択結果情報に基づいて未選択と特定された電子メールであっても当該電子メールの削除を留保することを特徴としている。
この特徴によれば、会員（会員遊技者）が、その時点では受信して内容を確認しないものの、後に内容の確認する可能性のある電子メールについては、削除手段にて削除されないようにできるため、会員（会員遊技者）の利便性を向上できる。
【００１２】
本発明の請求項７に記載の電子メール受信システムは、請求項１〜５のいずれかに記載の電子メール受信システムであって、
前記メール受信端末は、前記一覧表示手段に一覧表示された電子メールのうち、前記店舗内メール管理装置の会員用電子メール記憶手段から削除する電子メールの指定を会員から受付けるための削除電子メール受付け手段と、該削除電子メール受付け手段にて指定を受付けた削除する電子メールを特定可能な情報と当該電子メールの削除を要求する旨とを含む削除情報を前記店舗内メール管理装置に送信する削除情報送信手段と、を備え、
前記店舗内メール管理装置の削除手段は、該削除情報送信手段から送信される削除情報から特定される電子メールが、前記選択結果情報に基づいて選択と特定された電子メールであっても当該電子メールを削除することを特徴としている。
この特徴によれば、会員（会員遊技者）が、その時点で受信して内容を確認したが、後に内容の確認する可能性のない電子メールについては、削除手段にて削除されるようにできるため、次回のメール情報に含まれる電子メールの数を低減でき、よって、受信効率を向上できる。
【００１３】
本発明の請求項８に記載の電子メール受信システムは、請求項１〜７のいずれかに記載の電子メール受信システムであって、
店舗内メール管理装置は、前記削除手段が前記選択結果情報に基づいて未選択と特定された電子メールを削除する削除条件を設定変更するための削除条件設定変更手段を備え、
前記削除手段は、該削除条件設定変更手段にて設定された削除条件に基づいて未選択と特定された電子メールの削除を実施することを特徴としている。
この特徴によれば、会員（会員遊技者）の利便性や、店舗内メール管理装置における会員用電子メール記憶手段の記憶容量等を考慮して、適宜に削除条件を設定変更できる。
【００１４】
本発明の請求項９に記載の電子メール受信システムは、請求項１〜８のいずれかに記載の電子メール受信システムであって、
前記メール受信端末は、前記一覧表示手段に一覧表示された各電子メールのうち、他の電子メールドレス宛てに転送する電子メールの指定を会員から受付けるための転送電子メール受付け手段と、該転送電子メール受付け手段にて受付けた転送する電子メールを特定可能な情報と当該電子メールの転送先の電子メールアドレスを特定可能な情報とを含む転送情報を前記店舗内メール管理装置に送信する転送情報送信手段と、を備え、
前記店舗内メール管理装置は、該転送情報送信手段から送信される転送情報から特定される電子メールを、該転送情報から特定される転送先の電子メールアドレスに対して転送するための転送要求を前記メールサーバに対して送信する転送要求送信手段を備えるとともに、前記削除手段は、該転送要求送信手段にて転送要求された電子メールを削除し、
前記メールサーバは、前記転送要求送信手段から送信される転送要求の受信にもとづいて、転送要求された電子メールを転送する転送手段を備えることを特徴としている。
この特徴によれば、会員（会員遊技者）は、自分宛の電子メールを転送先である自宅のパソコン等にて当該電子メールの内容を確認できるようになるため、会員（会員遊技者）の利便性を向上できるとともに、当該転送された電子メールは、会員用電子メール記憶手段から削除されるため、次回のメール情報に含まれる電子メールの数を低減でき、よって、受信効率を向上できる。
【００１５】
本発明の請求項１０に記載の電子メール受信システムは、請求項９に記載の電子メール受信システムであって、
前記店舗内メール管理装置は、前記メールアドレス特定情報に対応付けて転送先の電子メールアドレスを記憶するための転送先メールアドレス記憶手段を備え、前記転送先の電子メールアドレスを特定可能な情報がメールアドレス特定情報であって、該メールアドレス特定情報に対応付けて前記転送先メールアドレス記憶手段に記憶されている転送先メールアドレスを含む前記転送要求をメールサーバに送信することを特徴としている。
この特徴によれば、転送先の電子メールアドレスを、会員（会員遊技者）がメール受信端末において入力する手間を省くことができ、会員（会員遊技者）の利便性を向上できる。
【発明を実施するための最良の形態】
【００１６】
本発明の実施例を以下に説明する。尚、以下の実施例では、店舗として複数の遊技機が設置された遊技場を適用した場合を例にとり説明する。
図１は本発明の電子メール受信システムが適用された本実施例の遊技用システムの構成を示す図であり、この遊技用システムは、店舗としての遊技場において複数配置された遊技島に並設される遊技機としてのカードリーダ式パチンコ機（以下パチンコ機）２に対して１対１に設置される本発明のメール受信端末である遊技用装置としてのカードユニット３と、当該遊技場内に設置され、当該遊技場において会員登録した会員である各会員遊技者に関する情報を管理するとともに、各会員遊技者のメールアドレス宛ての電子メールを配信可能に記憶する店舗内メール管理装置としての会員管理コンピュータ１２０と、遊技場外のカード管理会社に設置されるメールサーバ１０と、から主に構成されている。尚、図１に示す１００は、カードユニット３にて使用される会員用記録媒体である会員カード、並びにプリペイドカードであるビジターカードに記録されている遊技用価値である度数の管理等を行うシステムコントローラ１００である。
【００１７】
また、各遊技場に設置されている会員管理コンピュータ１２０並びにシステムコントローラ１００は、ルータ５並びに通信回線１１を介してカード管理会社に設けられているルータ６に接続されており、会員管理コンピュータ１２０は該ルータ６に接続されているメールサーバ１０と当該遊技場の会員遊技者宛ての電子メールの受信や転送メールに関する転送要求等の種々のデータ通信が可能とされているとともに、システムコントローラ１００は該ルータ６に接続されている管理サーバ１４０との間において遊技用価値並びに会員カードやビジターカードに関する種々のデータ通信が可能とされている。
【００１８】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっている。
【００１９】
また、各カードユニット３は、システムコントローラ１００並びに会員管理コンピュータ１２０とハブ（ＨＵＢ）８’（図３参照）並びに通信ケーブル８を介してデータ通信可能に接続されており、会員管理コンピュータ１２０との間において会員カードの使用や電子メールに関する種々のデータ通信が可能とされている。
【００２０】
初めに、本実施例にて用いた記録媒体について説明すると、本実施例では予め会員登録をした会員遊技者に対して発行される会員カードと、カードユニット３に装着されているプリペイドカードであるビジターカードと、の２種類のＩＣカードを記録媒体として用いており、このうち会員カードが本発明の会員用記録媒体に該当する。
【００２１】
まず、本発明の会員用記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや、各会員遊技者の電子メールアドレスを特定可能なメールアドレス特定情報である会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記憶されている。
【００２２】
また、本実施例に用いたカードユニット３に装着されるビジターカードも、各辺の長さが前記会員カードの各辺の長さより若干短い略長方形の非接触ＩＣカードとされており、該ビジターカードに搭載されている集積回路の内部メモリには、各ビジターカードを個別に識別可能なシリアル番号やカードＩＤ並びに当該ビジターカードが使用される使用店等が書き換え不可に記録されているとともに、会員カードの未挿入時にカードユニット３に投入される金額に該当する大きさの遊技用価値情報である度数や、装備されているカードユニット３の装置ＩＤ、並びに書き換え回数情報等の情報等が書き換え可能に記録されている。
【００２３】
次いで、本発明におけるメール受信端末となる本実施例の遊技用装置としてのカードユニット３について説明すると、カードユニット３は、対応するパチンコ機２と直接、及び中継端末４を介して接続されており、カードユニット３と対応するパチンコ機２との間で遊技媒体であるパチンコ球の払出（貸与）に伴なう各種信号の送受が可能とされているとともに、対応するパチンコ機２等から出力された各種遊技情報を示す信号が中継端末４を介して対応するカードユニット３に入力されるようになっている。（図３参照）
【００２４】
また、各カードユニット３は、図示しないシステムコントローラ１００並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されている。
【００２５】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２６】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２７】
カードユニット３の前面には、前方に突出する態様にて突出部３０５が設けられている。該突出部３０５において、遊技者側に向けられた面には、本発明の新着メール受信報知手段、削除報知手段、一覧表示手段並びにメール表示手段となる表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするための本発明の選択受付け手段並びに了解受付け手段を構成するタッチパネル３１４が設けられている。
【００２８】
図３は、カードユニット３の構成を示すブロック図である。カードユニット３は、読取手段となるカードリーダライタ３２７と、表示制御基板３２９と、受付け状況情報送信手段、メール情報送信要求送信手段並びに選択結果情報送信手段を構成する制御ユニット３２８と、から主に構成されており、カードリーダライタ３２７及び表示制御基板３２９は、制御ユニット３２８と接続され、各種データの送受が可能とされている。
【００２９】
カードリーダライタ３２７は、会員カードやビジターカードに記録されている会員カードＩＤやカードＩＤ、会員ＩＤ、並びに度数等の記録情報の読み取り並びに書き込みを行うとともに、ＨＵＢ８’を介して図示しないシステムコントローラとデータ通信可能に接続されており、挿入された会員カードに記録された会員カードＩＤによる認証や度数の確認等をシステムコントローラ１００との間で行う。
【００３０】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００３１】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００３２】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００３３】
制御ユニット３２８には、表示制御基板３２９を介して接続されたスイッチや表示器等の電子部品に加えて、紙幣識別ユニット３２１、硬貨識別ユニット３２２が接続されている。
【００３４】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３５】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３６】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに遊技使用処理としての後述する玉貸処理や、再使用処理としての払戻処理等の各種処理を実行する。
【００３７】
また、制御ユニット３２８は、対応するパチンコ機２と接続されており、各種信号の送受が実施可能とされているとともに、通信部３３４並びにＨＵＢ８’を介して会員管理コンピュータ１２０とデータ通信可能に接続されており、各種データの送受が可能とされていて、新たな会員カードの受付けに基づいて、当該新たに受付けた会員カードから読み取った会員ＩＤを含む会員カード受付け通知を会員管理コンピュータ１２０に送信する。
【００３８】
また、制御ユニット３２８は、通信部３３４、ＨＵＢ８’を介して会員管理コンピュータ１２０とデータ通信可能に接続されており、新たな会員カードの受付けに基づいて、当該新たに受付けた会員カードから読み取ったメールアドレス特定情報である会員ＩＤと、会員管理コンピュータ１２０に記憶されている電子メールのうち、該読み取ったメールアドレス特定情報である会員ＩＤから特定されるメールアドレス宛ての電子メールに関するメール情報の送信を要求する旨とを含むメール情報送信要求を、前記通信部３３４から会員管理コンピュータ１２０に送信するメール情報送信要求送信処理を実施する。
【００３９】
また、制御ユニット３２８は、会員管理コンピュータ１２０から送信されるメール情報の受信に基づいて、該メール情報に含まれる電子メールの一覧を表示部３１２に表示する一覧表示処理を実施する。
【００４０】
また、制御ユニット３２８は、前記一覧表示処理にて表示部３１２に表示された電子メールの一覧から内容表示する電子メールの選択を会員遊技者から受付けるための選択受付け処理を実施する。
【００４１】
また、制御ユニット３２８は、表示部３１２に表示された一覧表示の中から、選択受付け手段である前記タッチパネル３１４にて選択を受付けた電子メールを特定可能な情報である電子メールＩＤと、該電子メールの内容の送信を要求する旨とを含む電子メール内容送信要求を前記会員管理コンピュータ１２０に送信する電子メール内容送信要求処理を実施するとともに、該送信した電子メール内容送信要求に基づいて会員管理コンピュータ１２０から返信されてくる電子メールの内容を前記表示部３１２に表示する電子メール表示処理を実施する。
【００４２】
また、制御ユニット３２８は、受付け中の会員カードを返却するときに、前記表示部３１２に一覧表示された各電子メールに関して選択受付け手段である前記タッチパネル３１４にて選択を受付けたか否かを特定可能な選択結果情報を、前記通信部３３４から前記会員管理コンピュータ１２０に送信する選択結果情報送信処理を実施する。
【００４３】
また、制御ユニット３２８は、会員カードの返却操作が行われたときに、前記選択受付け手段であるタッチパネル３１４にて選択の受付けがなされなかった電子メールが削除されることを示すメッセージを表示部３１２に表示して会員遊技者に報知する削除報知処理と、会員遊技者から削除の了解を受付ける了解受付け処理とを実施するとともに、該了解受付け処理にて了解を受付けたことに基づいて会員カードを返却する。
【００４４】
また、制御ユニット３２８は、前記一覧表示手段となる表示部３１２に一覧表示された電子メールのうち、前記会員管理コンピュータ１２０から削除しない電子メールの指定を会員遊技者から受付けるための削除除外電子メール受付け処理と、該削除除外電子メール受付け処理にて指定を受付けた削除しない電子メールの電子メールＩＤと当該電子メールの削除除外を要求する旨とを含む削除除外情報を前記会員管理コンピュータ１２０に送信する削除除外情報送信処理を実施する。
【００４５】
また、制御ユニット３２８は、前記一覧表示手段となる表示部３１２に一覧表示された電子メールのうち、前記会員管理コンピュータ１２０から削除する電子メールの指定を会員遊技者から受付けるための削除電子メール受付け処理と、該削除電子メール受付け処理にて指定を受付けた削除する電子メールの電子メールＩＤと当該電子メールの削除を要求する旨とを含む削除情報を前記会員管理コンピュータ１２０に送信する削除情報送信処理を実施する。
【００４６】
また、制御ユニット３２８は、前記一覧表示手段となる表示部３１２に一覧表示された電子メールのうち、他の電子メールドレス宛てに転送する電子メールの指定を会員遊技者から受付けるための転送電子メール受付け処理と、該転送電子メール受付け処理にて受付けた転送する電子メールの電子メールＩＤと当該電子メールの転送先の電子メールアドレスを特定可能な情報である会員ＩＤとを含む転送情報を前記会員管理コンピュータ１２０に送信する転送情報送信処理を実施する。
【００４７】
また、制御ユニット３２８は、当該カードユニット３を個々に識別可能な装置識別情報である装置ＩＤと受付けている会員カードから読み取った会員ＩＤとを含む受付け状況情報となる会員カード受付け通知を会員管理コンピュータ１２０に送信する受付け状況情報送信処理を実施する。
【００４８】
また、制御ユニット３２８は、会員管理コンピュータ１２０から送信される新着通知の受信に基づいて、電子メールが新着した旨を報知する新着メール受信報知処理を実施する。
【００４９】
また、本実施例のカードユニット３において実施される各処理内容について説明すると、カードユニット３は、会員カード挿入口３０９に挿入された会員カードに対してシステムコントローラ１００と連携して利用の可／不可を判別する受付処理を行う。
【００５０】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００５１】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００５２】
また、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００５３】
また、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００５４】
また、カードユニット３と１対１に並設されたパチンコ機２が備える返却ボタンが遊技者により操作された場合に、受付け中の会員カードの返却を実施させる返却処理を行う。
【００５５】
次いで、本実施例における店舗内メール管理装置としての会員管理コンピュータ１２０について説明すると、会員管理コンピュータ１２０は、図４に示すように、コンピュータ内部にてデータの送受を行うデータバス１２１に、この会員管理コンピュータ１２０が実施する各種処理や後述する各種データベース（ＤＢ）の更新処理等を行うＣＰＵ１２２、処理時の一時記憶領域等として使用されるＲＡＭ１２３、磁気ディスクや光磁気ディスクから成る記憶装置１２４、削除条件の入力等を実施するためのキーボードやマウス等の入力装置１２５、図７に示す削除条件設定画面等の各種画面を表示出力する表示装置１２６、各種情報をプリント出力するプリンタ１２７、カードユニット３並びにシステムコントローラ１００とのデータ通信を行うための第１通信部１２８、ルータ５、通信回線１１並びにルータ６を介して前記メールサーバ１０とのデータ通信を行うための第２通信部１２９、が接続された通常のコンピュータである。
【００５６】
また、記憶装置１２４には、会員管理コンピュータ１２０のＣＰＵ１２２が行う各種処理を実行するための処理プログラムに加えて、会員カードを所有する遊技者、すなわち会員遊技者に関する会員情報が登録（記憶）されている会員情報テーブル（図５（ａ）参照）と、各カードユニット３の会員カードの受付け状況や受付け中の会員カードの会員ＩＤ等の情報が更新登録（記憶）されるユニット管理テーブル（図５（ｂ）参照）と、各会員遊技者の電子メールアドレス宛ての電子メールが記憶される会員用電子メールデータベース（ＤＢ）とが記憶されている。
【００５７】
本実施例の転送先メールアドレス記憶手段となる会員情報テーブルには、図５（ａ）に示すように、各会員を個別に識別可能に付与されるとともに、各会員遊技者の電子メールアドレスを特定可能なメールアドレス特定情報である会員ＩＤに対応付けて、当該会員カードを所有する遊技者の貯蓄玉数と、本人確認のための暗証番号と、来店ポイントと、当該会員カードを所有する遊技者の氏名（名字並びに名前）、性別、年齢、誕生日、職業、住所、該遊技場において電子メールの受信を行うために当該遊技場において発行された電子メールアドレスと、該電子メールアドレス宛ての電子メールを会員遊技者が閲覧する際に必要となるメール用パスワードと、転送先メールアドレスが記憶されており、会員ＩＤにより、当該会員遊技者のメール用パスワードや電子メールアドレス並びに転送先メールアドレスが特定できるようにされている。
【００５８】
また、本実施例の受付け状況記憶手段となるユニット管理テーブルには、図５（ｂ）に示すように、遊技場内に設置されている各カードユニット３を個々に識別可能な装置識別情報である装置ＩＤに対応付けて、そのカードユニット３が設置されている遊技島の島番号と、当該カードユニット３における会員カードの受付け状況と、対応するパチンコ機２の機種名である対応機種と、受付けている会員カードの会員ＩＤと、後述の貸出処理に使用された度数の累計である総使用度数と、該総使用度数のうちビジターカードから使用された度数であるＶカード使用度数と、当該カードユニット３にてビジターカードに入金された入金総額であるＶカード入金金額と、会員カード３７から使用された度数である会員カード使用度数と、当該カードユニット３にて会員カードに入金された入金総額である会員カード入金金額、並びに該入金のために受付けた現金の各金種毎（１００００円、５０００円、２０００円、１０００円、５００円、１００円）の数量とが登録（記憶）されており、どの会員遊技者の会員カードがその時点においてどのカードユニット３に受付け中であるかを特定できるようになっている。
【００５９】
また、本実施例の会員用電子メール記憶手段となる会員用電子メールデータベースには、図６に示すように、各電子メールアドレス毎に対応付けて、当該電子メールアドレス宛ての電子メールにそれぞれ付与された電子メールＩＤが記憶されており、該電子メールＩＤ毎に、当該電子メールの件名と、受信日と、送信者の電子メールアドレスと、当該電子メールのメールファイルへのパスデータとともに、既読と、未読回数と、削除留保、ゴミ箱、移行日の当該電子メールに関する各データが記憶されている。つまり、前記会員用電子メールデータベースに記憶されている各会員遊技者の電子メールアドレス宛ての電子メールを受信したときに、当該電子メールがメールファイルとして記憶されるとともに、会員用電子メールデータベースに当該メールファイルへのパスデータが登録されることで、該受信した電子メールが当該会員用電子メールデータベースに配信可能に記憶される。
【００６０】
尚、本実施例において各電子メールに付与される電子メールＩＤには、その先頭部分に会員ＩＤが含まれるようになっており、該電子メールＩＤにより、当該電子メールがどの会員宛のものであるかを当該電子メールＩＤから特定できるようになっている。
【００６１】
この会員用電子メールデータベースにおける既読の項目には当該電子メールの内容が会員遊技者の選択により閲覧（読まれた）か否かを特定可能とするために、カードユニット３から送信される電子メール内容送信要求の受信により特定されて電子メール内容であるメールファイルが送信されることにより「１」が記憶（更新）される。
【００６２】
また、会員用電子メールデータベースにおける未読回数の項目には、当該電子メールの内容が会員遊技者により未選択であった回数が記憶され、削除留保の項目には、未読の電子メールにおいて当該電子メールの削除の留保が会員遊技者により選択された場合に「１」が登録され、ゴミ箱の項目には、当該電子メールが未読、或いは既読でも削除対象とする選択が会員遊技者によりなされることにより削除対象となった際に「１」が登録され、移行日の項目には、当該電子メールがゴミ箱の項目に「１」が登録された日付が記憶される。
【００６３】
また、本実施例の会員管理コンピュータ１２０の前記ＣＰＵ１２２は、カードユニット３の制御ユニット３２８が実施する前記メール情報送信要求送信処理において該カードユニット３から送信されるメール情報送信要求に含まれる前記メールアドレス特定情報から特定される電子メールアドレス宛ての電子メールに関するメール情報を該カードユニット３に送信するメール情報送信処理を実施する。
【００６４】
尚、本実施例の会員用電子メールデータベースにおいては、各会員遊技者の電子メールアドレスに対応付けて各電子メールを記憶するようにしているが、本発明はこれに限定されるものではなく、これら電子メールアドレスに代えて会員ＩＤに対応付けて各電子メールを記憶するようにしても良い。
【００６５】
尚、本実施例では、これらメール情報送信処理において送信するメール情報として、会員遊技者宛ての電子メールの一覧を表示可能であって、且つ各電子メールの内容を含まないメール情報を送信し、カードユニット３の制御ユニット３２８が実施する電子メール内容送信要求処理において該カードユニット３から送信される電子メール内容送信要求から特定される電子メールの内容をカードユニット３に返信する電子メール内容送信処理を実施する。
【００６６】
また、本実施例の会員管理コンピュータ１２０の前記ＣＰＵ１２２は、カードユニット３にて受付け中の会員カードが返却されたときに、カードユニット３の制御ユニット３２８が実施する前記選択結果情報送信処理において、該カードユニット３から送信される選択結果情報に基づいて未選択と特定されたことを条件に、当該未選択と特定された電子メールを、後述する削除条件を満たすことに基づいて前記電子メールデータベースから削除する削除処理を実施する。
【００６７】
尚、本実施例ではこれら削除処理において、カードユニット３の制御ユニット３２８が実施する前記削除除外情報送信処理において該カードユニット３から送信される削除除外情報から特定される電子メールが、前記選択結果情報に基づいて未選択と特定された電子メールであっても当該電子メールの削除を留保する。
【００６８】
また、本実施例ではこれら削除処理において、カードユニット３の制御ユニット３２８が実施する前記削除情報送信処理において該カードユニット３から送信される削除情報から特定される電子メールが、前記選択結果情報に基づいて選択と特定された電子メールであっても当該電子メールを削除する。
【００６９】
また、本実施例の会員管理コンピュータ１２０の前記ＣＰＵ１２２は、カードユニット３の制御ユニット３２８が実施する前記受付け状況情報送信処理にて送信される受付け状況情報となるカード受付け通知に基づいて、各カードユニット３毎の会員カードの受付け状況となる図５（ｂ）に示すユニット管理テーブルの記憶情報を更新する処理を実施するとともに、該ユニット管理テーブルに記憶されている受付け状況に基づいて、カードユニット３に受付け中であると特定される会員カードに記憶されている会員ＩＤから特定される電子メールアドレス宛ての電子メールが前記メールサーバ１０から配信されたときに、当該電子メールアドレスを特定可能な会員ＩＤが記録された会員カードを受付け中であると特定されるカードユニット３に対して電子メールが新着した旨の新着通知を送信する新着通知処理を実施する。
【００７０】
また、本実施例の会員管理コンピュータ１２０の前記ＣＰＵ１２２は、カードユニット３の制御ユニット３２８が実施する前記転送情報送信処理において該カードユニット３から送信される転送情報から特定される電子メールを、該転送情報から特定される転送先の電子メールアドレスに対して転送するための転送要求を前記メールサーバ１０に対して送信する転送要求送信処理を実施するとともに、前記削除処理においては、該転送要求送信処理にて転送要求された電子メールを削除する。
【００７１】
また、本実施例の会員管理コンピュータ１２０の前記ＣＰＵ１２２は、前記カードユニット３から送信される転送情報に含まれるメールアドレス特定情報としての会員ＩＤに対応付けて前記会員情報テーブルに記憶されている転送先メールアドレスから転送先メールアドレスを特定し、該特定した転送先メールアドレスを含む転送要求をメールサーバ１０に送信する。
【００７２】
また、本実施例の会員管理コンピュータ１２０の前記ＣＰＵ１２２は、前記削除処理において、カードユニット３の制御ユニット３２８が実施する前記選択結果情報送信処理において該カードユニット３から送信される選択結果情報に基づいて未選択と特定された電子メールを削除する削除条件を、図７に示す削除条件設定画面において入力装置１２５から入力されて設定された設定内容に基づいて設定変更する削除条件設定変更処理を実施し、前記削除処理においては、該削除条件設定変更処理にて設定変更された削除条件に基づいて未選択と特定された電子メールの削除を実施する。
【００７３】
この本実施例に用いた削除条件設定画面は、図７に示すように、削除条件として、「選択結果による未選択特定後○日」の選択条件の項目と、「選択結果による未選択特定回数○回」の選択条件の項目とが排他選択可能に設けられており、各選択条件の項目には、○日並びに○回の内容を選択するためのポップアップメニューが設けられていて、該ポップアップメニューから所望する日数や回数を選択できるようになっている。
【００７４】
この本実施例における削除条件である「選択結果による未選択特定後○日」の選択条件を、対応するチェックボックスをチェックして選択し、例えば日数に１日を選択設定した場合には、カードユニット３から送信される前記選択結果情報により未選択と特定された電子メールは、その時点ではすぐに削除されず、前述のように、会員用電子メールデータベースにおいてゴミ箱の項目のデータが「１」とされることでゴミ箱に移行されるとともに、その移行日が「移行日」に登録され、該移行日が前記設定されている１日を過ぎたときに、当該電子メールが削除されるようになっており、つまりは、未読であっても１日はゴミ箱に削除を留保されて貯留されるようになり、前記日数を増やすことで、ゴミ箱に削除を留保されて貯留される期間が延びることとなる。尚、これらゴミ箱に移行された電子メールの内容は、後述する図１３や図１５に示すゴミ箱の選択項目を選択することで、表示部３１２に一覧表示される。
【００７５】
一方、「選択結果による未選択特定回数○回」の選択条件の選択条件を、対応するチェックボックスをチェックして選択し、例えば回数に２回を選択設定した場合には、カードユニット３から送信される前記選択結果情報により未選択と特定された電子メールは、その時点ではすぐに削除されず、電子メールデータベースにおいて未読回数に１が加算され、繰返し未読と特定されて未読回数に１が加算されて当該未読回数が２回となったときに、削除されるようになっており、つまりは、１回の未選択では削除されずに、所定回数において未選択であった場合において当該電子メールが削除されるようになっている。
【００７６】
また、本実施例の削除条件設定画面には、図７に示すように、未読であるが削除を留保することが会員遊技者により選択されることで削除留保される電子メールの最大数である最大削除留保件数の項目と、ゴミ箱に移行されて削除留保される電子メールの最大数である最大ゴミ箱保存件数の項目とが設けられ、各項目毎には、それぞれの保存件数を選択設定するためのポップアップメニューが設けられており、最大削除留保件数と最大ゴミ箱保存件数とを適宜に選択設定できるようになっている。
【００７７】
次いで、本実施例に用いたメールサーバ１０について説明すると、該メールサーバ１０の構成は、図８に示すように、サーバ内部にてデータの送受を行うデータバス２１に、該メールサーバ１０が実施する電子メールの送受信や会員管理コンピュータ１２０との各種データの授受に伴う各種処理を行うＣＰＵ２２、該ＣＰＵ２２が行う処理に使用されるワークメモリ等として使用されるＲＡＭ２３、日時情報を出力する時計装置（ＲＴＣ）２４と、インターネット網を介して、該インターネット網上の各メールサーバとの電子メールデータの送受を行うための第１通信部２６と、カード管理会社側のルータ６、前記通信回線１１、並びに遊技場側に設けられたルータ５を通じて会員管理コンピュータ１２０との通信を行うための第２通信部２７と、前記ＣＰＵ２２が実施する各種処理を実施するための処理プログラムや、図９に示す電子メールデータベース等の各種データが記憶された記憶装置２５と、が接続された比較的高速の演算処理が可能なサーバ用コンピュータとされている。
【００７８】
この本実施例に用いた電子メール記憶手段およびメールアドレス記憶手段となる電子メールデータベースには、図９に示すように、各遊技場に固有に付与された遊技場ＩＤ毎に、当該遊技場にて会員登録した会員遊技者の電子メールアドレスが記憶されており、これら各電子メールアドレス毎に対応付けて、当該電子メール宛ての電子メールにそれぞれ付与された電子メールＩＤが記憶され、該電子メールＩＤ毎に、当該電子メールの件名と、受信日と、送信者の電子メールアドレスと、当該電子メールのメールファイルへのパスデータとが記憶されている。
【００７９】
このように、本実施例においては、後述する所定時間毎に各遊技場に設置されている会員管理コンピュータ１２０に配信する電子メールを、遊技場ＩＤから特定して配信できるように、各電子メールアドレスを遊技場ＩＤに対応付けて記憶するようにしているが、本発明はこれに限定されるものではなく、例えば、所定時間毎に会員管理コンピュータ１２０が前記会員用電子メールデータベースに記憶している各会員遊技者の電子メールアドレスを含む当該電子メールアドレス宛ての電子メールの配信要求を送信する場合においては、遊技場ＩＤに対応付けることなく、各電子メールアドレス毎に電子メールを記憶しておき、電子メールの配信要求に含まれる電子メールアドレスに対する電子メールを配信するようにしても良い。
【００８０】
また、本実施例のメールサーバ１０の前記ＣＰＵ２２は、インターネット網上の各メールサーバから送信されてくる電子メールのうち、前記電子メールデータベースに記憶されている電子メールアドレス宛ての電子メールのデータを記憶するとともに、当該電子メールのファイルへのパスデータをはじめとする当該電子メールに関する情報（件名、受信日、送信者アドレス）を記憶する処理を実施する。つまり、前記電子メールデータベースに記憶されている各会員遊技者の電子メールアドレス宛ての電子メールを受信したときに、当該メールがメールファイルとして記憶されるとともに、電子メールデータベースに当該メールファイルへのパスデータが記憶（登録）されることで、該受信した電子メールが当該電子メールデータベースに配信可能に記憶される。
【００８１】
また、本実施例のメールサーバ１０の前記ＣＰＵ２２は、電子メール記憶手段となる電子メールデータベースに記憶している各電子メールを当該電子メールの宛先となる電子メールアドレスとともに所定のタイミング、具体的には所定時間毎に会員管理コンピュータ１２０へ配信する電子メール配信処理を実施する。
【００８２】
また、本実施例のメールサーバ１０の前記ＣＰＵ２２は、前記電子メール配信処理による会員管理コンピュータ１２０への配信を条件として当該配信した各会員遊技者の電子メールアドレス宛ての電子メールを前記電子メールデータベースから削除する配信済メール削除処理を実施する。
【００８３】
また、本実施例のメールサーバ１０の前記ＣＰＵ２２は、前記会員管理コンピュータ１２０のＣＰＵ１２２が実施する転送要求送信処理において送信される転送要求の受信にもとづいて、転送要求された電子メールを、該転送要求に含まれる転送先電子メールアドレスに対して転送する転送処理を実施する。
【００８４】
以下、本実施例の遊技用システムのカードユニット３における電子メールの表示に関するカードユニット３と会員管理コンピュータ１２０、並びに会員管理コンピュータ１２０とメールサーバ１０との間における各種の情報の授受に関して、図１０、図１１、並びに図１２〜図１７に示すカードユニット３の表示部３１２に表示される表示画面に基づいて説明する。
【００８５】
まず、インターネット網上のメールサーバから送信される各会員遊技者の電子メールアドレス宛ての電子メールは、メールサーバ１０にて前記電子メールデータベースに記憶される。そして、該電子メールデータベースに記憶されている電子メールが、所定時間毎、例えば１時間毎に、各遊技場の遊技場ＩＤ別に各電子メールの宛先となる電子メールアドレスとともに読み出されて、該電子メールアドレスとともに各電子メールが各遊技場の会員管理コンピュータ１２０に配信される。（電子メール配信処理）
【００８６】
このようにしてメールサーバ１０から配信される電子メールを受信した会員管理コンピュータ１２０は、該配信されてきた電子メールを各電子メールの宛先となる電子メールアドレスに対応付けて会員用電子メールＤＢに記憶するとともに、各電子メールに電子メールＩＤを付与して対応する電子メールＩＤの項目に記憶する。
【００８７】
次いで、該会員用電子メールＤＢに新たに電子メールが記憶された電子メールアドレスに対応付けて会員情報テーブルに記憶されている会員ＩＤを特定し、該会員ＩＤが記録された会員カードが、その時点にて受付け中であるか否かを、ユニット管理テーブルにおける会員ＩＤの項目に当該特定した会員ＩＤの記憶があるか否かを検索して判定する。
【００８８】
該会員ＩＤの検索において記憶がない場合には、当該会員カードが未総入である（受付け中ではない）と判定し、当該会員カードの挿入に伴う会員カード受付け通知待ちとなる。
【００８９】
一方、該会員ＩＤの検索において記憶がある場合には、該会員ＩＤに対応する装置ＩＤを特定することで、該会員ＩＤが記録された会員カードを受付け中のカードユニット３を特定し、該特定した装置ＩＤのカードユニット３に対して、該会員ＩＤの会員遊技者の電子メールアドレスに対応付けて前記会員用電子メールＤＢに新たに記憶した電子メールと当該電子メールの電子メールＩＤとを含む新着通知を送信する。尚、これら新着通知に基づいてカードユニット３にて実施される処理については後述する。
【００９０】
前記判定において未挿入と判定された会員カードを、会員遊技者がカードユニット３の会員カード挿入口３０９に挿入すると、該挿入によりカードリーダライタ３２７が当該受付けた会員カードから会員ＩＤを含む記録データを読み取り、制御ユニット３２８に該読み取りデータを出力する。
【００９１】
該読み取りデータの出力により、制御ユニット３２８は、会員遊技者からの暗証番号の受付けを、前記表示部３１２に暗証番号受付け画面を表示して実施し、該暗証番号と会員カードから読み取った会員ＩＤと装置ＩＤとともに認証要求とを含む会員カード受付け通知（受付け状態情報）を会員管理コンピュータ１２０に送信することで、会員管理コンピュータ１２０において、前記ユニット管理テーブル（図５（ｂ）参照）の「状況」や受付け会員カードＩＤ並びに会員ＩＤ等の情報が更新されるとともに、暗証番号による認証が実施されて、該認証が一致した場合において、カードユニット３に使用許諾（認証結果通知）が返信されることで、当該会員カードの使用、具体的には電子メールの閲覧や貯玉を使用しての再プレイが可能化される。尚、認証が一致しない場合には、認証結果通知として使用不可が返信されることで会員カードによる電子メールの閲覧や貯玉の使用が不可とされる。尚、ユニット管理テーブルの更新においては、具体的には、会員カード受付け通知（受付け状態情報）に含まれる装置ＩＤに対応する会員ＩＤの項目に、該会員カード受付け通知（受付け状態情報）に含まれる会員ＩＤを記憶（登録）する。
【００９２】
該使用許諾（認証結果通知）の返信による会員カードの利用可能化に基づいて、制御ユニット３２８は、受付けた会員カードから読み取ったメールアドレス特定情報としての会員ＩＤと、当該会員ＩＤから特定される電子メールアドレス宛ての新着メールや削除留保メール等の未削除電子メールに関するメール情報の送信を要求する旨とを含むメール情報送信要求を会員管理コンピュータ１２０に送信するメール情報送信要求処理を実施する。つまり、カードユニット３は、遊技者からメール受信のための操作を受付けることなく、会員カードの受付けに基づいてメール情報送信要求処理を実施する。
【００９３】
該メール情報送信要求処理において送信されたメール情報送信要求の受信に基づいて、会員管理コンピュータ１２０は、該受信したメール情報送信要求に含まれる会員ＩＤに対応して会員情報テーブルに記憶されている電子メールアドレスから、当該会員遊技者の電子メールアドレスを特定し、該特定した電子メールアドレスに対応付けて前記会員用電子メールデータベースに記憶されている電子メールの電子メールＩＤと件名、送信者アドレス、受信日時と、当該電子メールが既読であるか否かや削除留保されたものか等の種別情報とを含み、各電子メールの内容を含まないメール情報をカードユニット３に返信する。
【００９４】
このメール情報の受信に基づいて制御ユニット３２８は、該受信したメール情報を記憶するとともに、表示部３１２に図１２に示すように、メール情報に基づいて新着メールが届いている旨を表示して会員遊技者に新着メールがあることを報知するとともに、新着メールと保存メールの一覧を表示するか否かの受付けを実施する。
【００９５】
該一覧表示の要否の受付けにおいて、「しない」が選択された場合には、一覧表示を実施せずに通常の表示に移行し、「する」が選択された場合には、前記にて会員管理コンピュータ１２０から受信したメール情報に基づいて、制御ユニット３２８は、図１３に示すように、メール一覧を表示部３１２に表示する。
【００９６】
この本実施例のメール一覧には、図１３に示すように、各電子メールの件名と、送信者のアドレスと、受信日時とともに、内容表示の実施を受付けるための「Ｇｏ」の表示部と、前記種別情報に基づいて、当該電子メールが既読である場合にチェック表示される既読の項目と、当該電子メールが削除留保された保存メールである場合にチェック表示される保存の項目と、転送の実施を受付けるための「転送」の項目とが表示されるようになっており、会員遊技者は、件名や送信者アドレス等から閲覧したい電子メールがある場合には、その電子メールに対応する「Ｇｏ」の表示部を選択入力する。
【００９７】
該選択入力の実施に基づいて制御ユニット３２８は、会員遊技者が内容表示要求を実施した電子メールの電子メールＩＤを前記にて記憶したメール情報から特定するとともに、メール用パスワードを受付け状況を特定し、未だメール用パスワードを受付けていない場合において図示しないメール用パスワードの入力を促すメール用パスワード受付け画面を表示してメール用パスワードの受付けを実施し、該受付けたメール用パスワードを一時記憶する。
【００９８】
そして、該受付けたメール用パスワードと前記にて特定した会員遊技者が内容表示要求を実施した電子メールの電子メールＩＤとを含む電子メール内容送信要求を会員管理コンピュータ１２０に送信する電子メール内容送信要求処理を実施する。
【００９９】
該電子メール内容送信要求処理にて送信された電子メール内容送信要求を受信した会員管理コンピュータ１２０は、受信した電子メール内容送信要求中に含まれるメール用パスワードが、該受信した電子メール内容送信要求に含まれる電子メールＩＤの先頭部分に含まれる会員ＩＤに対応して会員情報テーブルに記憶されているメール用パスワードに一致するか否かを特定し、一致する場合において当該電子メールＩＤに対応付けて電子メールデータベースのメールファイルの項目に記憶されているパスデータから特定されるメールファイルをカードユニット３に送信する電子メール内容送信処理を実施するとともに、該送信した電子メールＩＤに対応する既読の項目に「１」を記憶（更新）する。
【０１００】
該電子メール内容送信処理において送信されるメールファイルを受信した制御ユニット３２８は、当該受信したメールファイルに基づくメール内容を、図１４に示すように、件名、メールＩＤ、送信者アドレス、受信日とともに表示することで、会員遊技者が内容表示を選択した電子メールの内容が表示されて、当該電子メールの内容を会員遊技者が確認できる。
【０１０１】
そして、会員遊技者が他の電子メールの内容を確認したい場合には、図１４に示す内容表示画面の下方に設けられている「一覧へ戻る」の選択入力部を入力して一覧表示へ戻り、前述と同様に内容を確認したい電子メールに対応する「Ｇｏ」の表示部を選択入力することで、２回目以降においては、メール用パスワードを入力することなく、当該電子メールの内容が表示される。尚、一覧表示へ戻った際の一覧表示において内容確認がなされた電子メールに対応する「既読」の項目には、チェック表示が実施されるとともに、保存の項目にチェック表示が実施されて、既読となったことにより当該電子メールが削除されずに保存されることが示されるようになる。（図１５参照）
【０１０２】
これら図１５に示すように、一度内容確認を実施して既読となった電子メールは、同時に削除されないように保存の項目がチェックされて保存（削除留保）の設定がなされるようになっているが、これら既読の電子メールがもう必要なく削除したい場合には、制御ユニット３２８は、当該チェックの選択入力による削除選択の受付けを実施する。
【０１０３】
該削除選択の受付けにおいて会員遊技者が既読メールから削除したい電子メールの「保存」の項目を選択入力してチェックを外すことで、該選択された削除したい電子メールの電子メールＩＤと当該電子メールを削除要求とを含む削除情報が会員管理コンピュータ１２０に送信されることで、会員管理コンピュータ１２０において、当該削除情報に含まれる電子メールＩＤから特定される電子メールに対応する会員用電子メールデータベースのゴミ箱の項目のデータに「１」が記憶されるとともに、「移行日」の項目に当日の日付が記憶されて、当該電子メールがゴミ箱に移行される。
【０１０４】
また、会員遊技者が、その時点では内容の確認を実施しないが、後において内容を確認する可能性のある電子メールであって、削除されたくない電子メールがある場合には、制御ユニット３２８は、該削除されたくない電子メールに対応する「保存」の項目のチェックボックスの選択入力による保存メールの選択受付けを実施する。
【０１０５】
該保存メールの選択受付けにおいて会員遊技者が、未読メールから削除されたくない電子メールの「保存」の項目を選択入力してチェックすることで、該選択された削除されたくない（保存したい）電子メールの電子メールＩＤと当該電子メールの削除除外要求とを含む削除除外情報が会員管理コンピュータ１２０に送信されることで、該会員管理コンピュータ１２０において、当該削除除外情報に含まれる電子メールＩＤから特定される電子メールに対応する会員用電子メールデータベースの削除留保の項目のデータに「１」が記憶（更新）されることで、これら削除留保の項目のデータに「１」が記憶されている場合には、会員管理コンピュータ１２０のＣＰＵ１２２が、未読であっても当該メールのゴミ箱の項目に「１」を記憶（更新）しないことで、当該電子メールの削除が留保される。
【０１０６】
また、会員遊技者が、予め登録しておいた転送先の電子メールアドレスに転送したい電子メールが存在する場合には、制御ユニット３２８は、該転送したい電子メールに対応する「転送」の項目のチェックボックスの選択入力による転送メールの選択受付けを実施する。
【０１０７】
該転送メールの選択受付けにおいて会員遊技者が、転送したい電子メールの「転送」の項目を選択入力してチェックすることで、該転送したい電子メールの電子メールＩＤと当該電子メールの転送要求とを含む転送情報が会員管理コンピュータ１２０に送信されることで、会員管理コンピュータ１２０は、該受信した転送情報に含まれる電子メールＩＤの先頭に付与されている会員ＩＤに基づいて、前記会員情報テーブルに該会員ＩＤに対応して記憶されている転送先メールアドレスを特定し、該特定した転送先メールアドレスに当該転送情報に含まれる電子メールＩＤから特定される電子メールとを含む転送要求をメールサーバ１０に送信とともに、該転送要求した電子メールを会員用電子メールデータベースから削除する。
【０１０８】
この転送要求の受信に基づいてメールサーバ１０は、図１１に示すように、転送要求に含まれる電子メールを、転送要求に含まれる転送先の電子メールアドレスに対して送信（転送）する。
【０１０９】
尚、図１５に示す一覧表示においてゴミ箱の選択項目を選択した場合には、会員ＩＤとゴミ箱に移行された電子メールに関するゴミ箱情報の送信を要求する旨のゴミ箱情報送信要求が会員管理コンピュータ１２０に送信されることで、当該会員ＩＤから特定される電子メールアドレスに対応して電子メールデータベースに記憶されている電子メールのうち、ゴミ箱の項目に「１」が記憶されている電子メールの電子メールＩＤと件名と送信者アドレスと受信日とを含むゴミ箱情報が返信されることで、ゴミ箱に移行されている電子メールの一覧が表示部３１２に表示され、会員遊技者は、その時点においてゴミ箱に移行されて削除予定とされている電子メールを確認することができ、該確認において消去したくない電子メールが存在するときは、該電子メールの削除予定を解除できるようになっている。
【０１１０】
また、会員遊技者が会員カードをカードユニット３に挿入して遊技を実施している間に、当該会員遊技者の電子メールアドレス宛ての電子メールがメールサーバ１０から会員管理コンピュータ１２０に配信された場合には、前述のように、会員管理コンピュータ１２０から当該カードユニット３に対して新着通知が送信されることで、制御ユニット３２８は、図１６に示すように、電子メールが新着した旨のメッセージを表示部３１２に表示して電子メールの新着を会員遊技者に報知するとともに、「新着メールを表示しますか？」の表示に対応付けて「はい」と「いいえ」の選択入力部を表示することで、当該新着メールの内容の表示、非表示の受付けを実施する。
【０１１１】
そして、「はい」が選択された場合には、図１６に示すように、会員管理コンピュータ１２０から送信されてきた新着通知に含まれる新着した電子メールの内容を表示部３１２に表示する。尚、該新着メールの内容表示において、表示画面の下部位置には「次メールへ」の選択入力部が表示されており、複数の新着メールがある場合には、該「次メールへ」の選択入力部を選択することで、順次新着メールの内容が表示される。尚、全ての新着メールの内容が表示された場合には、表示画面の下部位置には「一覧へ」の選択入力部が表示される。
【０１１２】
このようにして「はい」が選択されて内容が表示された場合には、該内容が表示された電子メールの電子メールＩＤを含む表示結果情報を会員管理コンピュータ１２０に送信することで、該会員管理コンピュータ１２０は、受信した表示結果情報に含まれる電子メールＩＤに対応する会員用電子メールデータベースの既読の項目に「１」を記憶（更新）する。
【０１１３】
このようにして内容確認する電子メールの選択受付け、或いは削除選択受付け、或いは削除除外選択受付け、或いは転送受付けを実施した後、会員遊技者が遊技を終了して会員カードの返却操作を実施した場合において、制御ユニット３２８は、図１７に示すように、「一覧表示されたメールのうち、未読となっている電子メールが消去されますがよろしいですか？」のメッセージを表示部３１２に表示して、未読メールが削除されることを会員遊技者に報知するとともに、当該メッセージの下部領域に「はい」と「いいえ」とを表示して、会員遊技者から削除了解の受付けを実施する。
【０１１４】
この削除了解の受付けにおいて、会員遊技者は、未読メールが削除されて良いか否かが不明であったり、削除されては困る場合には、「いいえ」を選択入力することで、表示部３１２には、再度メール一覧表示が実施されることで、会員遊技者は、どの電子メールが未読であって削除されるのかを確認でき、該メール一覧表示において、前述の内容確認する電子メールの選択受付け、或いは削除選択受付け、或いは削除除外選択受付け、或いは転送受付けが実施されるようになっている。
【０１１５】
一方、該削除了解の受付けにおいて会員遊技者が、未読メールが削除されて良い場合には、「はい」を選択入力することで、前述のメール一覧表示において未読（新着メールのうち、未選択の電子メール）である電子メールの電子メールＩＤを含む選択結果情報を会員管理コンピュータ１２０に送信する選択結果情報送信処理を実施した後、受付け中の会員カードを返却する返却処理を実施する。
【０１１６】
該選択結果情報送信処理において送信される選択結果情報を受信した会員管理コンピュータ１２０は、受信した選択結果情報に含まれる各電子メールＩＤに対応する電子メールデータベースにおけるゴミ箱の項目のデータを「１」に記憶（更新）するとともに、当日の日付を移行日の項目に登録する。
【０１１７】
そして、会員管理コンピュータ１２０は、該移行日の項目に、前記削除条件設定画面において、図７に示すように、「選択結果による未選択特定後１日」が設定されている場合においては、その当日が１日を経過した日となる日付が登録されている、つまりは前日以前の日付が記憶されている削除条件を満たす電子メールを特定し、該電子メールを会員用電子メールデータベースより削除する削除処理を実施する。
【０１１８】
尚、これらの未読メールの削除処理としては、前記削除条件設定画面において、図７に示すように、「選択結果による未選択特定後１日」が設定されている場合における処理であって、該削除条件設定画面において、「選択結果による未選特定回数２回」と設定されている場合には、該受信した選択結果情報に含まれる各電子メールＩＤに対応する会員用電子メールデータベースにおける「未読回数」の項目の値に１を加算更新し、該「未読回数」が削除条件として設定されている２回に達したときに、当該削除条件を満たした電子メールを会員用電子メールデータベースから削除する。
【０１１９】
以上、本実施例の遊技用システムによれば、遊技用装置であるカードユニット３の一覧表示手段である表示部３１２に表示される一覧表示において、会員遊技者から選択を受付けた電子メール、つまりは会員遊技者の興味が高いと思われる電子メールについては、会員管理コンピュータ１２０における削除処理において削除されないことで再度確認できる一方、メールサーバ１０から店舗内メール管理装置である会員管理コンピュータ１２０へ配信されることにより当該配信された電子メールはメールサーバ１０において削除され、選択されなかった電子メールについては、前記削除処理にて会員用電子メールデータベースから削除されるようになるため、会員管理コンピュータ１２０やメールサーバ１０に膨大な記憶容量を必要とすることなく、且つ、メールの受信毎に大量の電子メールの受信が行われることもない。
【０１２０】
また、本実施例の遊技用システムによれば、会員遊技者が会員カードを挿入して遊技中である場合に、当該会員遊技者の電子メールアドレス宛ての電子メールがメールサーバ１０から会員管理コンピュータ１２０に配信されたときに、該会員遊技者の会員カードを受付け中のカードユニット３に新着通知が送信されて、該新着メールがあることが会員遊技者に報知されることから、会員遊技者は自分宛の新着メールの受信をほぼリアルタイムに把握することができる。
【０１２１】
また、本実施例の遊技用システムによれば、会員カードの受付けに基づいてメール情報送信要求の送信が自動的に実施されることで、会員遊技者による受信操作の手間を省くことができるとともに、会員遊技者が受信操作を忘れた場合であっても、メール情報送信要求が送信されて電子メールの一覧表示が実施されるようになるため、当該会員遊技者宛ての電子メールが存在することを確実に認識させることができる。
【０１２２】
また、本実施例の遊技用システムによれば、一覧表示手段である表示部３１２に表示された一覧において選択を受付けた電子メールのみが、カードユニット３において実際に受信されるようになるため、不必要な電子メールの受信による通信効率の低下を回避できる。
【０１２３】
また、本実施例の遊技用システムによれば、会員カードの返却に際して電子メールが削除されることを表示部３１２に表示して会員遊技者に報知し、了解の受付けを実施することで、会員遊技者の意に反して、電子メールが削除されてしまうことを防止できる。
【０１２４】
また、本実施例の遊技用システムによれば、電子メールの一覧表示において、「保存」を選択入力することで、会員遊技者が、その時点では受信して内容を確認しないものの、後に内容の確認する可能性のある電子メールについては、会員管理コンピュータ１２０における削除処理にて削除されないようにできるため、会員遊技者の利便性を向上できる。
【０１２５】
また、本実施例の遊技用システムによれば、会員遊技者が、その時点で受信して内容を確認したが、後に内容の確認する可能性のない電子メールについては、一覧表示において当該電子メールに対応して表示されている「保存」のチェックを外すことで、当該内容を確認した電子メールが会員管理コンピュータ１２０の削除処理にて削除されるようにできるため、次回のメール情報に含まれる電子メールの数を低減でき、よって、受信効率を向上できる。
【０１２６】
また、本実施例の遊技用システムによれば、電子メールが削除処理により削除される条件を、会員遊技者の利便性や、メールサーバにおける電子メール記憶手段の記憶容量等を考慮して、削除条件設定画面において適宜に削除条件を設定変更できる。
【０１２７】
また、本実施例の遊技用システムによれば、前記一覧表示において転送したい電子メールに対応して表示されている「転送」をチェックすることで、会員遊技者は、自分宛の電子メールを転送先である自宅のパソコン等にて当該電子メールの内容を確認できるようになるため、会員遊技者の利便性を向上できるとともに、当該転送された電子メールは、会員用電子メールデータベースから削除されるため、次回のメール情報に含まれる電子メールの数を低減でき、よって、受信効率を向上できる。
【０１２８】
また、本実施例の遊技用システムによれば、メール一覧における「転送」のチェックボックスをチェックするのみで、当該選択した電子メールが予め会員情報テーブルに登録されている転送先の電子メールアドレスに転送されるようになるため、これら転送先の電子メールアドレスを、会員遊技者がカードユニット３において入力する手間を省くことができ、会員遊技者の利便性を向上できる。
【０１２９】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１３０】
例えば、前記実施例では、本発明の電子メール受信システムを、店舗として遊技場に適用した遊技用システムを例示しているが、本発明はこれに限定されるものではなく、これら店舗としては、前記店舗内メール管理装置およびメール受信端末が設置された店舗であれば良く、例えば、コンビニエンスストアやデパート等の店舗であれば、該店舗内に設置され、各種商品の購入やサービスの予約等を実施するための顧客用の情報端末（端末装置）に前記読取手段と、前記メール情報送信要求送信手段と、前記一覧表示手段と、前記選択受付け手段と、前記メール表示手段と、前記選択結果情報送信手段とを備えることで、当該コンビニエンスストアやデパート等の店舗独自或いはクレジットカード会社や旅行会社や航空会社の会員並びに当該店舗チェーン共通の会員が、商品やサービスの購入操作を行うとき等に自分宛の電子メールを閲覧できるようにしても良い。
【０１３１】
また、ゲームセンターにおいて、ゲーム機に対応して前記読取手段と、前記メール情報送信要求送信手段と、前記一覧表示手段と、前記選択受付け手段と、前記メール表示手段と、前記選択結果情報送信手段とを備える前記メール受信端末を設置したり、ゲーム機自体に前記読取手段と、前記メール情報送信要求送信手段と、前記一覧表示手段と、前記選択受付け手段と、前記メール表示手段と、前記選択結果情報送信手段とを備えることで、該ゲーム機自体を前記メール受信端末として利用しても良い。
【０１３２】
さらに、パソコンが複数設置されたインターネットカフェにおいて、パソコン端末に対応して前記読取手段と、前記メール情報送信要求送信手段と、前記一覧表示手段と、前記選択受付け手段と、前記メール表示手段と、前記選択結果情報送信手段とを備える前記メール受信端末を設置したり、該パソコンに前記読取手段と、前記メール情報送信要求送信手段と、前記一覧表示手段と、前記選択受付け手段と、前記メール表示手段と、前記選択結果情報送信手段となる処理プログラムを記憶することで、該パソコン自体を前記メール受信端末として利用しても良い。
【０１３３】
さらにまた、個室を利用者に貸与するような店舗（例えば、カラオケボックス）において、各個室毎に前記メール受信端末を設置するようにしても良いし、各個室毎に設置されているカラオケ装置に前記前記読取手段と、前記メール情報送信要求送信手段と、前記一覧表示手段と、前記選択受付け手段と、前記メール表示手段と、前記選択結果情報送信手段とを備えるようにしても良い。
【０１３４】
また、前記実施例では、メール受信端末となるカードユニット３を各パチンコ機２に１対１に対応して設けているが、本発明はこれに限定されるものではなく、これらメール受信端末を、店舗となる遊技場内の所定位置、例えば遊技場内に設置される遊技島の島端等に設置しても良い。
【０１３５】
また、前記実施例においては、電子メールＩＤの先頭部分を会員ＩＤと同じとし、該会員ＩＤを含む電子メールＩＤを削除除外情報送信処理や削除情報送信処理や転送情報送信処理において送信することで、会員ＩＤを個別に送信していないが、本発明はこれに限定されるものではなく、これらを前記削除除外情報送信処理や前記削除情報送信処理や前記転送情報送信処理において電子メールＩＤを会員ＩＤと含まない構成として、当該電子メールＩＤとともに会員ＩＤを送信するようにしても良い。
【０１３６】
また、前記実施例では、メールサーバ１０をカード管理会社に設置した例を示したが、本発明はこれに限定されるものではなく、これらメールサーバ１０をカード管理会社以外の機関に設置しても良い。
【０１３７】
また、前記実施例においては、メールサーバ１０は、所定時間毎に会員管理コンピュータ１２０に配信した電子メールを電子メールデータベースから削除するようにしているが、本発明はこれに限定されるものではなく、例えば、これら電子メールデータベースからの電子メールの削除を、会員管理コンピュータ１２０における会員用電子メールデータベースからの電子メールの削除と同様に、会員カードの返却に基づいて未選択の電子メールを削除することとし、会員管理コンピュータ１２０から送信される転送要求には、転送先の電子メールアドレスと、当該転送する電子メールを特定可能な情報（例えば、件名或いは受信日等）とを含むようにして、メールサーバ１０において転送要求に含まれる該電子メールを特定可能な情報から転送する電子メールを特定して転送するようにすることで、転送要求には転送する電子メールのデータを含まないようにしても良い。
【０１３８】
また、前記実施例では、新着通知に新着した電子メールの内容を含むようにしてカードユニット３に送信するようにしているが、本発明はこれに限定されるものではなく、これら新着通知を、メール情報と同様に、新着メールに関する件名や送信者の情報のみを新着通知としてカードユニット３に配信し、内容の確認選択を会員遊技者より受付けた場合に、当該選択された新着メールの内容をカードユニット３に送信するようにしても良い。また、これら新着メール関する件名や送信者の情報を一覧表示しても良い。
【０１３９】
また、前記実施例の遊技用システムでは、会員管理コンピュータ１２０とメールサーバ１０とが直接通信するようにしているが、本発明はこれに限定されるものではなく、例えば、システムコントローラ１００を介してメールサーバ１０と会員管理コンピュータ１２０とがデータ通信可能に接続されていても良い。
【０１４０】
また、前記実施例では、遊技用装置であるカードユニット３が、貸出処理や再プレイ処理や追加入金処理を実施するようにしているが、本発明はこれに限定されるものではなく、これらのいずれか１つあるいは２つの処理機能を有するものであっても良いし、更には、これらのいずれの処理機能を有することなく、例えば、会員カードを挿入することで、会員カードに記録された記録情報である会員ＩＤにより会員カードが挿入されたものとの判断に基づいて、対応する台の遊技情報を表示する遊技情報表示処理機能を有するものであっても良い。
【０１４１】
また、前記実施例では、会員管理コンピュータ１２０の会員情報テーブルに会員ＩＤに対応付けて各遊技場の会員遊技者の電子メールアドレスと転送先メールアドレスとを記憶することで、会員ＩＤにより電子メールアドレスと転送先メールアドレスとを特定可能として、該会員ＩＤをメールアドレス特定情報並びに転送先の電子メールアドレスを特定可能な情報として使用しているが、本発明はこれに限定されるものではなく、例えば会員カードにこれらの会員遊技者の電子メールアドレスや転送先メールアドレスを記憶しておいて、該会員カードから読み取った電子メールアドレスや転送先メールアドレス自体をメールアドレス特定情報並びに転送先の電子メールアドレスを特定可能な情報として会員管理コンピュータ１２０に送信するようにしても良い。
【０１４２】
また、前記実施例では、会員管理コンピュータ１２０から送信されるメール情報にメール内容を含まないようにしているが、本発明はこれに限定されるものではなく、これらメール情報にメール内容を含むようにしても良い。
【０１４３】
また、前記実施例では、選択結果情報として未選択の電子メールの電子メールＩＤを送信するようにしているが、本発明はこれに限定されるものではなく、前記実施例のように、選択された電子メールの電子メール内容送信要求をその都度送信する場合においては、選択完了（カード返却）と会員ＩＤとを選択結果情報としてメールサーバ１０に送信することで、その時点において未選択の電子メールを会員管理コンピュータ１２０が電子メールデータベースの既読の項目のデータから特定するようにしても良い。
【０１４４】
また、前記実施例の場合に限らず、会員遊技者により電子メールが選択される毎に当該電子メールが選択された旨を会員管理コンピュータ１２０に送信するとともに、会員カードの返却時において当該会員カードが返却された旨を会員管理コンピュータ１２０に送信するようにして、これら電子メールが選択された旨と会員カードが返却された旨とを選択結果情報としても良い。
【０１４５】
また、前記実施例では、削除選択された既読メールも未読メールと同様に、ゴミ箱へ移行して削除条件が満たされたときに削除するようにしているが、本発明はこれに限定されるものではなく、これら削除選択された既読メールを転送メールと同様にゴミ箱へ移行することなく削除しても良いし、また、転送メールをゴミ箱へ移行して削除条件が満たされたときに削除するようにしても良い。
【０１４６】
また、前記実施例では、メール用パスワードの受付けを一覧表示した後、内容表示を実施する際に受付けして該メール用パスワードの照合を実施するようにしているが、本発明はこれに限定されるものではなく、これらのメール用パスワードの受付けをメール一覧表示を実施する前に受付けて照合を実施するようにしても良い。また、これらパスワードの受付けや照合を実施しない構成としても良い。
【０１４７】
また、前記実施例では、カードユニット３からのメール情報の送信を、新たな会員カードの受付けに基づいて当該会員カードの受付け時において実施するようにしているが、本発明はこれに限定されるものではなく、これらメール情報の送信を会員カードの受付けから所定時間が経過した段階において送信するようにしても良い。
【０１４８】
また、前記実施例では、未選択メールが削除されることの報知を、メッセージを表示部３１２に表示することで実施するようにしているが、本発明はこれに限定されるものではなく、これらの報知を音声やランプの点灯等により報知しても良く、これら報知形態は適宜に選択すれば良い。
【０１４９】
また、前記実施例では、電子メールの転送を予め登録された転送先に転送するようにしているが、本発明はこれに限定されるものではなく、これらの転送を予め登録された転送先以外の電子メールアドレスを転送先アドレスとして入力を受付けて、該入力された転送先アドレスに転送できるようにしても良い。
【０１５０】
前記実施例における各要素は、本発明に対して以下のように対応している。
本発明の請求項１は、店舗（遊技場）外に設けられ、会員（会員遊技者）の電子メールアドレスを記憶するためのメールアドレス記憶手段（記憶装置２５；電子メールデータベース）と、該メールアドレス記憶手段に記憶されている各会員の電子メールアドレス宛ての電子メールを受信したときに、該受信した電子メールを配信可能に記憶するための電子メール記憶手段（記憶装置２５；電子メールデータベース）を備え、該電子メール記憶手段に記憶している各電子メールを所定のタイミングにて配信するメールサーバ（１０）と、店舗内に設けられ、会員の電子メールアドレスを個々に特定可能なメールアドレス特定情報（会員ＩＤ）に対応付けて、前記メールサーバから配信される電子メールのうち、当該メールアドレス特定情報から特定される会員の電子メールアドレス宛ての電子メールを配信可能に記憶するための会員用電子メール記憶手段（記憶装置１２４；会員用電子メールデータベース）を備える店舗内メール管理装置（会員管理コンピュータ１２０）と、前記メールアドレス特定情報が記録された会員用記録媒体（会員カード）を受付けて、該会員用記録媒体に記録されているメールアドレス特定情報の読み取りを行う読取手段（カードリーダライタ３２７）と、該読取手段によって読み取った前記メールアドレス特定情報と、前記会員用電子メール記憶手段に記憶されている電子メールのうち、当該メールアドレス特定情報から特定される電子メールアドレス宛ての電子メールに関するメール情報の送信を要求する旨とを含むメール情報送信要求を前記店舗内メール管理装置に送信するメール情報送信要求送信手段（制御ユニット３２８；メール情報送信要求送信処理）と、を備えるメール受信端末（カードユニット３）と、から成る電子メール受信システム（遊技用システム）であって、前記店舗内メール管理装置は、前記メール情報送信要求送信手段から送信されるメール情報送信要求に含まれるメールアドレス特定情報から特定される電子メールアドレス宛ての電子メールに関するメール情報を前記メール受信端末に送信するメール情報送信手段（ＣＰＵ１２２；メール情報送信処理）を備え、前記メール受信端末は、該メール情報送信手段から送信されるメール情報に基づいて前記電子メールの一覧を表示するための一覧表示手段（制御ユニット３２８；一覧表示処理、表示部３１２）と、該一覧表示手段に表示された一覧から内容表示する電子メールの選択を会員から受付けるための選択受付け手段（タッチパネル３１８）と、該選択受付け手段にて選択を受付けた電子メールの内容を表示するメール表示手段（制御ユニット３２８；メール表示処理、表示部３１２）と、前記一覧表示手段に一覧表示された各電子メールに関して前記選択受付け手段にて選択を受付けたか否かを特定可能な選択結果情報を前記店舗内メール管理装置に送信する選択結果情報送信手段（制御ユニット３２８；選択結果情報送信処理、通信部３３４）と、を備え、前記メールサーバは、前記店舗内メール管理装置への配信を条件として当該配信した各会員の電子メールアドレス宛ての電子メールを前記電子メール記憶手段から削除する配信済メール削除手段（ＣＰＵ２２；配信済メール削除処理）を備え、前記店舗内メール管理装置は、前記メール受信端末にて受付け中の会員用記録媒体が返却されたときに、前記選択結果情報送信手段から送信される選択結果情報に基づいて未選択と特定されたことを条件に、当該未選択と特定された電子メールを前記会員用電子メール記憶手段から削除する削除手段（ＣＰＵ１２２；削除処理）を備える。
【０１５１】
本発明の請求項２は、前記メール受信端末が、前記店舗としての遊技場内に複数設置される遊技機（パチンコ機２）のそれぞれに対応して設けられた遊技用装置（カードユニット３）であって、該遊技用装置は、当該遊技用装置を個々に識別可能な装置識別情報（装置ＩＤ）と受付けている前記会員用記録媒体（会員カード）のメールアドレス特定情報（会員ＩＤ）とを含む受付け状況情報を前記店舗内メール管理装置（会員管理コンピュータ１２０）に送信する受付け状況情報送信手段（制御ユニット３２８；受付け状況情報送信処理）を備え、前記店舗内メール管理装置は、該受付け状況情報送信手段から送信される受付け状況情報に含まれる装置識別情報とメールアドレス特定情報とを対応付けて記憶するための受付け状況記憶手段（記憶装置１２４；ユニット管理テーブル）を備えるとともに、該受付け状況記憶手段に記憶されているメールアドレス特定情報から特定される電子メールアドレス宛ての電子メールが前記メールサーバ（１０）から配信されたときに、当該メールアドレス特定情報に対応付けて前記受付け状況記憶手段に記憶されている装置識別情報の遊技用装置に対して電子メールが新着した旨の新着通知を送信する新着通知手段（ＣＰＵ１２２；新着通知処理）を備え、前記遊技用装置は、該新着通知手段から送信される新着通知の受信に基づいて、電子メールが新着した旨を報知する新着メール受信報知手段（制御ユニット３２８；新着メール受信報知処理、表示部３１２）を備える。
【０１５２】
本発明の請求項３は、前記メール受信端末（カードユニット３）は、前記メール情報送信要求送信手段（制御ユニット３２８；メール情報送信要求送信処理）からのメール情報送信要求の送信を、前記会員用記録媒体（会員カード）の受付けに基づいて実施する。
【０１５３】
本発明の請求項４は、前記店舗内メール管理装置（会員管理コンピュータ１２０）は、前記メール情報送信手段（ＣＰＵ２２；メール情報送信処理）から送信するメール情報として、前記電子メールの一覧を表示可能であって、且つ各電子メールの内容を含まないメール情報を送信し、前記メール受信端末（カードユニット３）は、前記選択受付け手段（タッチパネル３１８）にて選択を受付けた電子メールを特定可能な情報（電子メールＩＤ）と、該電子メールの内容の送信を要求する旨とを含む電子メール内容送信要求を前記店舗内メール管理装置に送信する電子メール内容送信要求手段（制御ユニット３２８；電子メール内容送信要求処理）を備え、前記店舗内メール管理装置は、該電子メール内容送信要求手段から送信される電子メール内容送信要求から特定される電子メールの内容を前記メール受信端末に返信する電子メール内容送信手段（ＣＰＵ１２２；電子メール内容送信処理）を備え、前記メール表示手段（制御ユニット３２８；メール表示処理、表示部３１２）は、該電子メール内容送信手段から返信される電子メールの内容を表示する。
【０１５４】
本発明の請求項５は、前記メール受信端末（カードユニット３）は、前記会員用記録媒体（会員カード）の返却操作が行われたときに、前記選択受付け手段（タッチパネル３１８）にて選択の受付けがなされなかった電子メールが削除されることを会員に報知するための削除報知手段（制御ユニット３２８；削除報知処理、表示部３１２）と、会員から削除の了解を受付けるための了解受付け手段（タッチパネル３１８）と、を備え、該了解受付け手段にて了解を受付けたことに基づいて会員用記録媒体を返却する。
【０１５５】
本発明の請求項６は、前記メール受信端末（カードユニット３）は、前記一覧表示手段（制御ユニット３２８；一覧表示処理、表示部３１２）に一覧表示された電子メールのうち、前記店舗内メール管理装置（会員管理コンピュータ１２０）の会員用電子メール記憶手段（記憶装置１２４；会員用電子メールデータベース）から削除しない電子メールの指定を会員から受付けるための削除除外電子メール受付け手段（タッチパネル３１８）と、該削除除外電子メール受付け手段にて指定を受付けた削除しない電子メールを特定可能な情報と当該電子メールの削除除外を要求する旨とを含む削除除外情報を前記店舗内メール管理装置に送信する削除除外情報送信手段（制御ユニット３２８；削除除外情報送信処理、通信部３３４）と、を備え、前記店舗内メール管理装置の削除手段（ＣＰＵ１２２；削除処理）は、該削除除外情報送信手段から送信される削除除外情報から特定される電子メールが、前記選択結果情報に基づいて未選択と特定された電子メールであっても当該電子メールの削除を留保する。
【０１５６】
本発明の請求項７は、前記メール受信端末（カードユニット３）は、前記一覧表示手段（制御ユニット３２８；一覧表示処理、表示部３１２）に一覧表示された電子メールのうち、前記店舗内メール管理装置（会員管理コンピュータ１２０）の会員用電子メール記憶手段（記憶装置１２４；会員用電子メールデータベース）から削除する電子メールの指定を会員から受付けるための削除電子メール受付け手段（タッチパネル３１８）と、該削除電子メール受付け手段にて指定を受付けた削除する電子メールを特定可能な情報と当該電子メールの削除を要求する旨とを含む削除情報を前記店舗内メール管理装置に送信する削除情報送信手段（制御ユニット３２８；削除情報送信処理、通信部３３４）と、を備え、前記店舗内メール管理装置の削除手段（ＣＰＵ１２２；削除処理）は、該削除情報送信手段から送信される削除情報から特定される電子メールが、前記選択結果情報に基づいて選択と特定された電子メールであっても当該電子メールを削除する
【０１５７】
本発明の請求項８は、店舗内メール管理装置（会員管理コンピュータ１２０）は、前記削除手段（ＣＰＵ１２２；削除処理）が前記選択結果情報に基づいて未選択と特定された電子メールを削除する削除条件を設定変更するための削除条件設定変更手段（削除条件設定画面、入力装置１２５）を備え、前記削除手段（ＣＰＵ１２２；削除処理）は、該削除条件設定変更手段にて設定された削除条件に基づいて未選択と特定された電子メールの削除を実施する。
【０１５８】
本発明の請求項９は、前記メール受信端末（カードユニット３）は、前記一覧表示手段（制御ユニット３２８；一覧表示処理、表示部３１２）に一覧表示された各電子メールのうち、他の電子メールドレス宛てに転送する電子メールの指定を会員から受付けるための転送電子メール受付け手段（タッチパネル３１８）と、該転送電子メール受付け手段にて受付けた転送する電子メールを特定可能な情報（電子メールＩＤ）と当該電子メールの転送先の電子メールアドレスを特定可能な情報（会員ＩＤ）とを含む転送情報を前記店舗内メール管理装置（会員管理コンピュータ１２０）に送信する転送情報送信手段（制御ユニット３２８；転送情報送信処理、通信部３３４）と、を備え、前記店舗内メール管理装置は、該転送情報送信手段から送信される転送情報から特定される電子メールを、該転送情報から特定される転送先の電子メールアドレスに対して転送するための転送要求を前記メールサーバ（１０）に対して送信する転送要求送信手段（ＣＰＵ１２２；転送要求送信処理）を備えるとともに、前記削除手段（ＣＰＵ１２２；削除処理）は、該転送要求送信手段にて転送要求された電子メールを削除し、前記メールサーバは、前記転送要求送信手段から送信される転送要求の受信にもとづいて、転送要求された電子メールを転送する転送手段を備える。
【０１５９】
本発明の請求項１０は、前記店舗内メール管理装置（会員管理コンピュータ１２０）は、前記メールアドレス特定情報（会員ＩＤ）に対応付けて転送先の電子メールアドレスを記憶するための転送先メールアドレス記憶手段（記憶装置１２４；会員情報テーブル）を備え、前記転送先の電子メールアドレスを特定可能な情報がメールアドレス特定情報であって、該メールアドレス特定情報に対応付けて前記転送先メールアドレス記憶手段に記憶されている転送先メールアドレスを含む前記転送要求をメールサーバ（１０）に送信する。
【図面の簡単な説明】
【０１６０】
【図１】本発明の実施例における遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例に用いた会員管理コンピュータの構成を示すブロック図である。
【図５】（ａ）は、本発明の実施例に用いた会員情報テーブルを示す図であり、（ｂ）は、本発明の実施例に用いたユニット管理テーブルを示す図である。
【図６】本発明の実施例に用いた会員用電子メールデータベースを示す図である。
【図７】本発明の実施例に用いた会員管理コンピュータの表示装置に表示される削除条件設定画面を示す図である。
【図８】本発明の実施例に用いたメールサーバの構成を示すブロック図である。
【図９】本発明の実施例に用いたメールサーバに記憶された電子メールデータベースを示す図である。
【図１０】本発明の実施例に用いた遊技用システムを構成するカードユニットと会員管理コンピュータとの間における各種情報のやりとりを示す図である。
【図１１】本発明の実施例に用いた遊技用システムを構成するメールサーバと会員管理コンピュータとの間における各種情報のやりとりを示す図である。
【図１２】本発明の実施例に用いたカードユニットに設けられた液晶表示器の表示内容を示す図である。
【図１３】本発明の実施例に用いたカードユニットに設けられた液晶表示器の表示内容を示す図である。
【図１４】本発明の実施例に用いたカードユニットに設けられた液晶表示器の表示内容を示す図である。
【図１５】本発明の実施例に用いたカードユニットに設けられた液晶表示器の表示内容を示す図である。
【図１６】本発明の実施例に用いたカードユニットに設けられた液晶表示器の表示内容を示す図である。
【図１７】本発明の実施例に用いたカードユニットに設けられた液晶表示器の表示内容を示す図である。
【符号の説明】
【０１６１】
２        パチンコ機
３        カードユニット
４        中継端末
５        ルータ
６        ルータ
１０      メールサーバ
１１      通信回線網
２２      ＣＰＵ
２３      ＲＡＭ
２５      記憶装置
２６      第１通信部
２７      第２通信部
２８      表示装置
２９      入力装置
１００    システムコントローラ
１２０    会員管理コンピュータ
１２２    ＣＰＵ
１２４    記憶装置
１２８    第１通信部
１２９    第２通信部
１４０    管理サーバ
３１２    表示部
３１３    液晶表示器
３１４    タッチパネル
３２７    カードリーダライタ
３２８    制御ユニット
３２９    表示コントローラ
【図１】
2005157554.tif 000003
【図２】
2005157554.tif 000004
【図３】
2005157554.tif 000005
【図４】
2005157554.tif 000006
【図５】
2005157554.tif 000007
【図６】
2005157554.tif 000008
【図７】
2005157554.tif 000009
【図８】
2005157554.tif 000010
【図９】
2005157554.tif 000011
【図１０】
2005157554.tif 000012
【図１１】
2005157554.tif 000013
【図１２】
2005157554.tif 000014
【図１３】
2005157554.tif 000015
【図１４】
2005157554.tif 000016
【図１５】
2005157554.tif 000017
【図１６】
2005157554.tif 000018
【図１７】
2005157554.tif 000019